(57)【要約】【課題】シート状媒体を自由に取替え可能で、スライド開閉する窓ガラスにも取付可能な窓ガラス媒体取付具を提案し、窓ガラスを多機能化かつ多目的化して快適な空間を演出し、利用者の満足度を向上する。【解決手段】窓ガラス媒体取付具として、透明の面状体と、シート状媒体を保持可能に前記面状体を窓ガラスに貼り付ける貼付手段とを備え、前記面状体の一部に前記シート状媒体を差し込む差込口の口縁を形成した。【選択図】　　図１
2004034820.tif 000002
【特許請求の範囲】
【請求項１】
透明の面状体と、
シート状媒体を保持可能に前記面状体を窓ガラスに貼り付ける貼付手段とを備え、
前記面状体の一部に前記シート状媒体を差し込む差込口の口縁を形成した
窓ガラス媒体取付具。
【請求項２】
前記面状体を、前記窓ガラスへの貼付側の貼付シートと、前記シート状媒体を保持する保持シートとの重合構造に形成した
請求項１記載の窓ガラス媒体取付具。
【請求項３】
前記貼付手段を、窓スライド方向に位置する前記面状体の周縁部の少なくとも一方が前記窓ガラス側に隙間無く密着可能に形成した
請求項１又は２記載の窓ガラス媒体取付具。
【請求項４】
請求項１、２又は３記載の窓ガラス媒体取付具に半透明又は不透明の遮光シート部材を差し込んだ
窓ガラス遮光具。
【請求項５】
請求項１から４のいずれか１つに記載の窓ガラス媒体取付具又は窓ガラス遮光具を取付けた
窓ガラス。
【発明の詳細な説明】
【０００１】
【発明の属する技術分野】
この発明は、例えば、光を遮光する遮光シートや、絵画，写真，又は広告等のデザインを印刷したデザインシート等のシート状媒体を、窓ガラスに保持可能にするような、窓ガラス媒体取付具、該窓ガラス媒体取付具で遮光シートを保持する窓ガラス遮光具、及び前記窓ガラス媒体取付具又は窓ガラス遮光具を取付けた窓ガラスに関する。
【０００２】
【従来の技術】
従来、窓ガラスにシート状媒体を取付ける窓ガラス媒体取付具として、遮光板に複数の吸着具を備えたものや、吊下げ具を窓ガラスに取付けて遮光板を吊下げたものが存在している。
【０００３】
【発明が解決しようとする課題】
しかし、このような窓ガラス媒体取付具は、シート状媒体として常に１つの遮光板を使用するため、例えば遮光量の異なるシート状媒体を選択的に使用するといったことはできなかった。
【０００４】
また、スライド開閉する窓に取付けることは考慮されておらず、特に車窓のように収納可能な窓ガラスに対しては取付けるとことができず、無理に取付けた場合にはスライド開閉ができなかった。
【０００５】
この発明は、シート状媒体を自由に取替え可能で、スライド開閉する窓ガラスにも取付可能な窓ガラス媒体取付具を提案し、窓ガラスを多機能化かつ多目的化して快適な空間を演出し、利用者の満足度を向上することを目的とする。
【０００６】
【課題を解決するための手段】
この発明は、透明の面状体と、シート状媒体を保持可能に前記面状体を窓ガラスに貼り付ける貼付手段とを備え、前記面状体の一部に前記シート状媒体を差し込む差込口の口縁を形成した窓ガラス媒体取付具であることを特徴とする。
【０００７】
これにより、シート状媒体を差込口から差し込み、窓ガラスの一部をシート状媒体で機能化することが可能になり、該シート状媒体を差し替えることで様々な機能を得ることもできる。
【０００８】
前記面状体は、ビニルシートやプラスチックシート等の樹脂シートやフィルムシート等、適度に湾曲可能なシート部材又は湾曲しない板状部材で形成することを含み、１枚構造又は複数枚構造で構成することを含む。またその形状は、正方形、長方形、円形、楕円形など、様々な形状に形成しても良く、窓ガラスに合わせた形状、例えば車窓に適合した形状（車窓と同一の形状若しくは一回り小さい形状など）に形成しても良い。なお、該面状体は、少々濁った透明でもかまわないが、透明度が高いほうが望ましい。
【０００９】
前記貼付手段は、接着剤やのりなどの粘着剤、両面テープや片面テープ等の粘着テープで構成することを含む。また、例えば車窓に窓ガラス媒体取付具を貼り付けて窓の開閉をしても取れない程度の粘着度の強粘着材や、再剥離が容易な粘着度の低粘着材など、用途に応じた粘着度の粘着材で形成すると良い。他にも、面状体の周縁部近傍は粘着度の高い粘着材を使用し、他の部分は粘着度の低い粘着材を使用するなど、複数種類の粘着材を使用しても良い。この場合は、周縁部から剥がれることを防止しつつ、人が剥がすときには周縁部さえ剥がせば容易に剥がれるようにするといったことが可能になる。
【００１０】
前記面状体の一部に形成する口縁は、面状体の周縁部の一部や、面状体に施した切込みの切り口で形成することを含み、１箇所又は複数箇所に形成することを含む。また、前記面状体の上部、下部、左部、右部、又はその他の部分に前記口縁を形成しても良く、例えば右部と左部に前記口縁を形成して左右どちらからでも前記シート状媒体を差込可能に形成しても良い。
【００１１】
前記シート状媒体は、光を適度に透過する半透明又は不透明の遮光シート、赤外線を遮蔽する赤外線遮蔽シート、電磁波を遮蔽する電磁波遮蔽シート、ハーフミラーとなるハーフミラーシート、絵画や写真等の絵柄を印刷したデザインシート、広告を印刷した広告シートなど、窓に遮光機能や室内演出機能や外観演出機能や広告機能等の諸機能を付加するシートで形成することを含む。また、該シート状媒体の材質は、フィルム、プラスチック、ビニル、紙等の適度に湾曲可能なシート部材で形成することを含み、湾曲しない板状部材を使用しても良い。
【００１２】
以上の構成により、窓ガラスに遮光機能を付加する、インテリア機能を付加する、広告機能を付加するなど、窓を多目的に利用可能に多機能化することができ、室内空間の快適性を高めて利用者の満足度を向上することができる。
【００１３】
好ましい実施の形態として、前記面状体を、前記窓ガラスへの貼付側の貼付シートと、前記シート状媒体を保持する保持シートとの重合構造に形成することができる。
【００１４】
前記貼付シートと前記保持シートとは、同一材質又は異材質で形成することを含み、外形形状を同一又は異形に形成することを含む。すなわち、例えば貼付シートと保持シートとを同一サイズの四角形で形成して２辺又は３辺で接続した形状、概略この形状で，さらに保持シートの口縁中央に指でつまむための半円形の凹部を形成した形状、貼付シートより保持シートを一回り小さく形成して該保持シートの口縁が前記貼付シートの周縁部より内側となるように段差を設けた状態で，前記保持シートの口縁以外の周縁部を前記貼付シートに接続した形状、その他厚みの薄い袋状体に形成した形状等、様々な形状に形成することを含む。また、前記重合構造は、前記貼付シートと前記保持シートとを１枚ずつ重ねた構造でも良く、複数ずつ重ねた構造でも良いが、１枚ずつ重ねた構造が望ましい。
【００１５】
前記構成により、シート状部材の差込み／抜き出しが容易な状態を確保して、窓ガラス媒体取付具を窓ガラスに貼り付けることが可能になり、利便性が向上する。
【００１６】
また好ましい実施の形態として、前記貼付手段を、窓スライド方向に位置する前記面状体の周縁部の少なくとも一方が前記窓ガラス側に隙間無く密着可能に形成することができる。
【００１７】
前記密着可能な貼付手段は、前記窓スライド方向に位置する前記面状体の周縁部の少なくとも一方を，その近傍の窓ガラスと共に被せて貼りつける粘着テープ、前記周縁部の少なくとも一方を，端まで隙間無く窓ガラスに貼りつける粘着剤若しくは粘着テープで構成することを含む。
【００１８】
前記構成により、例えば車窓に窓ガラス媒体取付具を貼り付けた場合であれば、窓を開閉しても窓ガラス媒体取付具が剥がれてしまうことがなく、車の機能を損なわずに綺麗な状態で使用することができる。
【００１９】
またこの発明は、前記窓ガラス媒体取付具に半透明又は不透明の遮光シート部材を差し込んだ窓ガラス遮光具とすることができる。
前記遮光シート部材は、光を適度に透過する半透明又は不透明の遮光シート、ハーフミラーとなるハーフミラーシート等、遮光効果のあるシート部材で構成することを含む。
【００２０】
前記構成により、必要なときに遮光シートを窓ガラス媒体取付具に差込み利用することができ、差込む遮光シートを選択することで遮光率の異なる遮光シートを使い分けることも可能になる。
【００２１】
またこの発明は、前記窓ガラス媒体取付具又は窓ガラス遮光具を取付けた窓ガラスとすることができる。
これにより、例えば窓ガラスの形状に合わせた窓ガラス媒体取付具又は窓ガラス遮光具を取り付けることができる。また、予め窓ガラス媒体取付具又は窓ガラス遮光具を取付けた窓ガラスを提供すれば、利用者の手作業による貼り付けが不要となり、利用者は美しく利便性の高い多機能な窓ガラスを利用することができる。
【００２２】
【発明の効果】
この発明により、窓ガラスに遮光機能やインテリア機能や広告機能等の諸機能を付加することができ、窓ガラスの利用価値を高めて利用者の生活の快適性を向上することができる。
【００２３】
【発明の実施の形態】
この発明の一実施形態を以下図面と共に説明する。
まず、図１に示す使用状態の斜視図、図２に示す使用状態の拡大斜視図、及び図３に示す断面図と共に、窓ガラス媒体取付具の使用状態について説明する。
【００２４】
この実施形態では、図１に示すように、車１のフロントドア３及びリアドア４にそれぞれ備えたドアウィンドウ２，２の車内側に、ウィンドウ媒体取付具１０，１０を貼り付けている。
該ウィンドウ媒体取付具１０は、図２に示すように薄型透明プラスチックで形成した長方形の保持シート１１と、同様に薄型透明プラスチックで形成した長方形の貼付シート２１とを上辺以外の３辺で溶着して溶着部２０を形成し、全体を薄い袋状に形成する。
【００２５】
前記貼付シート２１の図示手前側は、粘着性の強い粘着剤２１ｂを隅々まで全面に塗布した粘着面で形成し、ドアウィンドウ２に隙間無く密着させる。このとき、特に上端部２１ｃ及び下端部２１ｄに粘着剤２１ｂの塗布洩れがないようにし、端から剥がれることを防止する。
前記保持シート１１の上辺は、袋状のウィンドウ媒体取付具１０の口縁１１ａを形成し、前記貼付シート２１の上辺に形成した口縁２１ａとの隙間から、ウィンドウ媒体取付具１０内への遮光シート３０の差込を許容する。
【００２６】
このようにして貼り付けたウィンドウ媒体取付具１０とその内部に差し込み収納した遮光シート３０は、図２の（Ａ）及び（Ｂ）での断面図である図３に示すように、ドアウィンドウ２に密着する。
【００２７】
すなわち、ドアウィンドウ２に対して、貼付シート２１、遮光シート３０、保持シート１１の順で積層した状態となり、保持シート１１の剛性で遮光シート３０を貼付シート２１側へ押し付け密着する。
【００２８】
以上の構成により、外界からの光４０は、図３に点線で示すように遮光シート３０で適度に遮られ、車内へは弱い光４１が入光するようになる。これにより、車内への直射日光の照射と、直射日光による室温上昇を防止することができる。
【００２９】
また、例えば色の薄い遮光度が低いタイプの遮光シート３０を差し込むなど、ウィンドウ媒体取付具１０内に差し込む遮光シート３０を適宜選択して遮光の程度を調節しても良く、他にも、遮光度の低いタイプの遮光シートを複数重ねて差込むことで、遮光の程度を調整しても良い。
【００３０】
さらには、ステンドグラスのようにカラフルな模様のついた半透明シートを差し込むこともでき、絵等の模様を描いたデザインシートや広告を描いた広告シートを差し込むこともできる。この場合、デザインシートや広告シートには両面に同一若しくは異なる模様や広告を施しても良く、又は片面のみに施しても良い。
【００３１】
その上、図４の説明図に示すように、ドアウィンドウ２を開閉した際に、ドアウィンドウ２を収納するフロントドア３の収納口に備えた防水用ゴム３ａ（図２）に、ウィンドウ媒体取付具１０が当たっても、しっかりとドアウィンドウ２に密着しているためにこすれて剥がれるといったことが無い。これにより、剥がれ痕等ができず常に綺麗な状態で利用することができる。
【００３２】
なお、ウィンドウ媒体取付具１０は、下辺の保持シート１１側にテーパ部を設ける、又は／及び、上辺に面ファスナーやジッパー等の差込口閉鎖手段を設けるようにしても良い。これにより、ドアウィンドウ２の開閉に対してより剥がれにくくすることができる。
【００３３】
また、口縁１１ａ及び口縁２１ａは、両側部若しくは一方の側部に形成して他の辺を溶着部２０で形成しても良い。これにより、遮光シート３０を側方から差込及び抜出することができ、ドアウィンドウ２の開閉方向であるウィンドウ媒体取付具１０の上辺及び下辺を、より剥がれにくくドアウィンドウ２に密着させることができる。すなわち、口縁１１ａ及び口縁２１ａがドアウィンドウ２の開閉方向にないため、口縁１１ａが防水用ゴム３ａに引っ掛かるといたことを回避できる。
【００３４】
また、ウィンドウ媒体取付具１０は、車１のドアウィンドウ２に限らず、家庭やビル等の室内に設けた採光窓やドア窓等、様々な窓に貼り付けて使用しても良い。
【００３５】
この発明の構成と、上述の実施形態との対応において、
この発明の窓ガラスは、実施形態のドアウィンドウ２に対応し、
以下同様に、
窓ガラス媒体取付具は、ウィンドウ媒体取付具１０に対応し、
窓ガラス遮光具は、ウィンドウ媒体取付具１０及び遮光シート３０に対応し、
面状体は、保持シート１１及び貼付シート２１に対応し、
貼付手段は、粘着剤２１ｂに対応し、
周縁部は、上端部２１ｃ及び下端部２１ｄに対応し、
シート状媒体は、遮光シート３０に対応するも、
この発明は、上述の実施形態の構成のみに限定されるものではなく、多くの実施の形態を得ることができる。
【図面の簡単な説明】
【図１】ウィンドウ媒体取付具の使用状態を示す斜視図。
【図２】ウィンドウ媒体取付具の使用状態を示す要部拡大斜視図。
【図３】ウィンドウ媒体取付具の断面図。
【図４】ドアウィンドウ開閉時の説明図。
【符号の説明】
２…ドアウィンドウ
１０…ウィンドウ媒体取付具
１１…保持シート
１１ａ…口縁
２１…貼付シート
２１ｂ…粘着剤
２１ｃ…上端部
２１ｄ…下端部
３０…遮光シート
【図１】
2004034820.tif 000003
【図２】
2004034820.tif 000004
【図３】
2004034820.tif 000005
【図４】
2004034820.tif 000006